(57)【要約】  本実施例は教育または遊びなどに使用されるゲーム装置に関し、それぞれの列の上部に形成される投入口（スロット）に少なくとも２種類以上の色または模様のチップを投入し、同じ色や模様が少なくとも３つ以上になれば勝利する三目以上の教育または遊びゲームができるチップ連結ゲーム装置であり、一つの面と、必要であれば本体を回転させながら少なくとも２つの面を利用してゲームをすることができる形状であって、且つ上面も利用してゲームをすることができる形状に関する。これは、立体面の外部面にチップを置くことでゲームをすることができ、空間区分を明確にすることで、多様なゲームと遊びを可能にする構造である。【選択図】図１
2020506034.tif 000002
【特許請求の範囲】
【請求項１】
学習またはゲーム道具であるチップが挿入されるスロット（Ｓｌｏｔ）１４０が備えられ、少なくとも３つ以上の列（Ｃｏｌｕｍｎ）１０と行（Ｒｏｗ）２０（３＊３）からなる少なくとも一つ以上の面のうち、第１面３０と、
前記第１面の左側端の列１５及び右側端の列１６のうち一つの列を共有し、チップが挿入されるスロットが備えられ、少なくとも３つ以上の列と行（３＊３）からなる第２面５０と、を含むことを特徴とするゲーム装置。
【請求項２】
前記第１面３０と反対面に備えられ、チップが挿入されるスロットが備えられ、少なくとも３つ以上の列と行からなる第３面４０と、第２面３０の反対面に備えられ、チップが挿入されるスロットが備えられ、少なくとも３つ以上の列と行からなる第４面６０と、のうち少なくとも一つの面を更に含むことを特徴とする請求項１に記載のゲーム装置。
【請求項３】
チップが挿入されるスロットが備えられる複数のそれぞれの面３０、４０、５０、６０の列の左側端の列１５及び右側端の列１６のうちから一つの列を互いに共有して各面の列が形成されることを特徴とする請求項２に記載のゲーム装置。
【請求項４】
学習またはゲーム道具であるチップが挿入されるスロットが備えられ、少なくとも３つ以上の列と行（３＊３）からなる面と、
前記面の最上行７０に積まれるチップと直接または間接に連結されてチップが置かれるよう、前記面の最上行の高さより低い位置に形成される他の面７５と、を含むことを特徴とするゲーム装置。
【請求項５】
学習、またはゲーム道具であるチップが挿入されるスロットが備えられ、少なくとも3つ以上の列と行からなる第１面３０と、前記第１面の列の左側端の列１５及び右側端の列１６のうちから一つの列を共有し、チップが挿入されるスロットが供えられ、少なくとも３つ以上の列と行（３＊３）からなる第２面５０と、
前記第１面及び前記第２面のうち少なくとも一面の最上行の上に積まれたチップと直接または間接に連結され、チップが置かれるように、前記面の最上行の高さより低い位置に形成される上面７５と、を含むことを特徴とするゲーム装置。
【請求項６】
学習またはゲーム道具であるチップが 置かれるようになる少なくとも３つ以上の列と行（３＊３）からなる面と、
前記面の左側端の列及び右側端の列のうちから一つの列を共有し、チップが置かれるようになる少なくとも３つ以上の列と行（３＊３）からなる他の面と、を含むことを特徴とするゲーム装置。
【請求項７】
各列に備えられたスロットを介して挿入されるチップが積まれるようにするか抜かれるようにするチップキャプチャ手段１３０、１３３が前記各面列の下部に備えられ、前記チップキャプチャ手段にはチップがかかれるようになる延長部が形成されることを特徴とする請求項１に記載のゲーム装置。
【請求項８】
各列に備えられたスロットを介して挿入されるチップが積まれるようにするか抜かれるようにするチップキャプチャ手段１３０、１３３が前記各面列の下部に備えられ、前記チップキャプチャ手段にはチップがかかれるようになる延長部が形成されることを特徴とする請求項４に記載のゲーム装置。
【請求項９】
各列に備えられたスロットを介して挿入されるチップが積まれるようにするか抜かれるようにするチップキャプチャ手段１３０、１３３が前記各面列の下部に備えられ、前記チップキャプチャ手段にはチップがかかれるようになる延長部が形成されることを特徴とする請求項５に記載のゲーム装置。
【請求項１０】
各列に備えられたスロットを介して挿入されるチップが積まれるようにするか抜かれるようにするチップキャプチャ手段１３０、１３３が前記各面列の下部に備えられ、前記チップキャプチャ手段にはチップがかかれるようになる延長部が形成されることを特徴とする請求項６に記載のゲーム装置。
【発明の詳細な説明】
【技術分野】
【０００１】
本実施例は教育または遊びなどに使用されるゲーム装置に関し、より詳しくは、それぞれの列の上部に形成される投入口（スロット）に少なくとも２種類以上の色または模様のチップを投入し、同じ色や模様が少なくとも３つ以上になれば勝利する三目以上の教育または遊びゲームができるチップ連結ゲーム装置であり、一つの面と、または必要であれば本体を回転させながら少なくとも２つの面を利用してゲームをすることができる形状であって、且つ上面も利用してゲームをすることができる装置に関する。
【背景技術】
【０００２】
人類史上、最も長く継がれている遊び文化としては「ボードゲーム」が挙げられる。ボードゲームとは、遊びボードの上に駒やカードを置き、一定な規則に従って進める遊びをいう。伝導的なボードゲームには、囲碁や将棋、チェス、ユンノリなどがある。
【０００３】
ボードゲームは面白さだけでなく、健全な生活文化の意味を持つ。そこで、米国やドイツなどの先進国ではボードゲームが拡散されている。
【０００４】
ボードゲームは老若男女が共に楽しめる遊びであって、狭い空間でもゲームを楽しむことができ、誰もが容易に学ぶことができるという長所のため人気を集めている。
【０００５】
前記ボードゲームを介して、第一、思考力の増進―ボードゲームは高度の集中力と思考力、相手を予測する分析力を必要とするため、思考力の増進を助ける。第二、教育的価値―ボードゲームはイッターネットやスマートフォンゲームの依存から脱出することを助ける教育的効果及び治療と結びつくことで、単なる遊びを超えて創意力だけでなく社会性をも養うことができる。第三、頭脳開発―知的能力を向上するために、反復的思考を介して脳細胞を活性化させる。第四、コミュニケーションの形成―家族や友だちとボードゲームを介してコミュニケーションすることができる。
【０００６】
また、一般に平面である碁盤を利用してチップの一種である碁石を置き、碁石が左右、対角線方向に予め決めた個数（少なくとも３つである三目）で連結されることで勝敗が決まるゲームであって、平面であるＸ軸とＹ軸でゲームが進められるため、規則に制約が少なく簡単であってゲームの変化が少なく単純である。また、二人でゲームをするため実力差を克服することが難しく、相手によってはゲームに対する興味を失う恐れがある。
【０００７】
また、米国などでは、上からチップを落として下から積まれることで、同じ色の４つで縦横対角線を連結すると勝利するＣｏｎｎｅｃｔ  ｆｏｕｒという一面のみを使用してチップが入る空間が７＊６で少ないため、勝敗が決まらない場合が発生するか、一面を使用して二人でゲームをするゆえ、単純で相手だけを防御及び攻撃すればよいため、高度の思考力を必要としなかった。
【発明の概要】
【発明が解決しようとする課題】
【０００８】
実施例は、多数の面を使用して教育や遊びをするゲーム装置を提供することを目的とする。
【０００９】
実施例は、二人が少なくとも一つの面を互いに共有・使用するか、二人以上が面を共有・使用してゲームをする装置を提供することを目的とする。
【００１０】
実施例は、一つの面と、必要であれば本体を回転させながら少なくとも２つの面を利用してゲームをする装置であり、また、上面も利用してゲームをすることができる装置を提供する。
【００１１】
実施例は、各面のコーナ列に積まれるチップを、隣り合う他の面のチップといても利用してゲームをすることができる装置を提供することを目的とする。
【００１２】
実施例は、チップが上面縁を除いた部分には直接置かれる形状であり、各面各列の上部（最上行）に積まれたチップは上面に置かれたチップと直接または間接に連結されてゲームが行われる装置を提供することを目的とする。
【００１３】
本発明が解決しようとする多様な課題は上述した課題に限らず、言及されていない他の課題は以下の記載から当業者に明確に理解されるはずである。
【課題を解決するための手段】
【００１４】
本発明によるゲーム装置は、学習またはゲーム道具であるチップが挿入されるスロット（Ｓｌｏｔ）１４０が備えられ、少なくとも３つ以上の列（Ｃｏｌｕｍｎ）１０と行（Ｒｏｗ）２０（３＊３）からなる少なくとも一つ以上の面のうち、第１面３０と、前記第１面の左側端の列１５及び右側端の列１６のうち一つの列を共有し、チップが挿入されるスロットが備えられ、少なくとも３つ以上の列と行（３＊３）からなる第２面５０と、を含むゲーム装置である。
【００１５】
本発明は、前記第１面３０と反対面に備えられ、チップが挿入されるスロットが備えられ、少なくとも３つ以上の列と行からなる第３面４０と、第２面３０の反対面に備えられ、チップが挿入されるスロットが備えられ、少なくとも３つ以上の列と行からなる第４面６０と、のうち少なくとも一つの面を更に含む。
【００１６】
本発明は、チップが挿入されるスロットが備えられる複数のそれぞれの面３０、４０、５０、６０の列の左側端の列１５及び右側端の列１６のうちから一つの列を互いに共有して各面の列が形成される。
【００１７】
本発明は、学習またはゲーム道具であるチップが挿入されるスロットが備えられ、少なくとも３つ以上の列と行からなる面と、
【００１８】
前記面の最上行７０に積まれるチップと直接または間接に連結されてチップが置かれるよう、前記面の最上行の高さより低い位置に形成される他の面７５と、を含む。
【００１９】
また、本発明は、学習またはゲーム道具であるチップが置かれる少なくとも３つ以上の列と行（３＊３）からなる面と、前記面の左側端の列及び右側端の列のうちから一つの列を共有し、チップが置かれるようになる少なくとも３つ以上の列と行（３＊３）からなる他の面と、を含む。
【００２０】
本発明によると、多数の面を使用して教育やゲームをする装置を提供することで二人以上がゲームをする装置であって、二人でゲームをする場合は相手のみ防御・攻撃し、３人〜５人がゲームをする場合は、相手を直ちに防御せずに他の相手で防御するように誘導することで、戦略的思考と論理力が求められるため、複合的な思考力を増進することができる。
【００２１】
実施例は、一つの面と、必要であれば本体を回転させながら少なくとも２つの面を利用してゲームをすることができ、また、上面も利用してゲームをすることができる。
【００２２】
実施例は、各面のコーナ列に積まれるチップを、隣り合う面のチップといても利用してゲームをすることができる装置を提供する。
【００２３】
実施例は、チップが上面に置かれる形状であり、各面の最上行に積まれたチップは、上面に置かれたチップと直接または間接に連結されて教育または遊びゲームが行われる。
【００２４】
実施例は、誰もが楽しめるゲームであってルールは簡単であるが、得点のためには空間的に分析し相手を予測する論理的分析力と戦略的思考が必要なため、このような複合的思考力を養うことができる。
【００２５】
実施例は、３次元空間を活用することで空間に対する知覚力を向上することができ、それぞれの面の列の左側端の列及び右側端の列のうちから少なくとも一つの列を互いに共有し、各面の列が形成されてゲームが行われるため、細心な観察力を向上することができる。
【００２６】
実施例は、家族、友だちなど多数が一緒に楽しむことができるため、面白さとコミュニケーションを介して社会性を養うことができる。
【００２７】
実施例は、３人以上がゲームをする場合は、攻撃と防御を他の相手を介して解決するように計画的な思考力と相互作用が必要なため、協同心と複合的思考力を増進することができる。
【００２８】
実施例は、回転させながら他の面を回しながら観察し記憶すべきであるため、記憶力と集中力を増進することができる。
【００２９】
従来の五目並べやＣｏｎｎｅｃｔ４は、ボードで一回のみゲームを行うが、実施例はゲームの途中に一人が同じ色を連結して得点しても連続してゲームを進めて更に得点し得る空間が提供されるため、ゲームの際に持久力と集中力を向上させることができる。
【００３０】
本発明の技術思想の実施例が具体的に言及されていない多様な効果を提供し得ることを十分に理解できるはずである。
【００３１】
本発明は立体面の外部にチップを置くことができる装置であって、上面の一部が塞がれているため各空間が明確に区分され、それを介して多様な遊びやゲームを楽しむことができる。
【図面の簡単な説明】
【００３２】
【図１】本発明の実施例による全体的な形状を示す基本斜視図である。
【図２】本発明の実施例による全体的な形状を示す斜視図であり、各列の左側端の列及び右側端の列のうちチップを掴む外側の支持台を省略することができることを示す図である。
【図３】チップキャプチャ手段が列の下部に備えられた本発明の実施例の正面部分を示す図である。
【図４】チップキャプチャ手段が列の下部に備えられた本発明の実施例の左側部分を示す図である。
【図５】本体の上面にチップを置くことができるようにした本発明の実施例の平面図である。
【図６】回転手段が備えられた本発明の実施例の底面図を示す図である。
【図７】他のチップキャプチャ手段が備えられた本発明の他の実施例を示す図である。
【図８】チップに挿入される本体の下面、下側に本体を回転させる回転手段が備えられていることを示す図である。
【図９】回転手段及びチップキャプチャ手段が備えられていることを示す図である。
【図１０】ゲーム装置及び使用されるチップの実施例を示す図である。
【図１１】ゲーム装置及び使用されるチップの実施例を示す図である。
【図１２】ゲーム装置及び使用されるチップの実施例を示す図である。
【図１３】ゲーム装置及び使用されるチップの実施例を示す図である。
【図１４】他の実施例によるゲーム装置を示す図である。
【発明を実施するための形態】
【００３３】
以下、添付した図面を参照して、本発明による実施例を詳細に説明すると以下のようである。
【００３４】
まず、各図面の構成要素に参照符号を付けるに当たって、同じ構成要素に対してはたとえ他の図面上に示されていても、できるだけ同じ符号を付けるようにしていることに留意してほしい。また、本発明の実施例を説明するに当たって、実質的に同じ内容についてはその詳細な説明を省略する。
【００３５】
また、ある構成要素が他の構成要素に「接続」、「連結」、「結合」または「接触」すると記載されている場合、その構成要素はその他の構成要素に直接連結されるか接続されてもよいが、各構成要素の間に他の構成要素が「連結」、「結合」または「接触」される場合も同じ技術的思想として理解すべきである。
【００３６】
また、ある構成要素が具備、形成、または構成されると記載されている場合、特に定義を下さない限り、実質的に同じ意味として解釈すべきである。
【００３７】
また、本発明において、「含む」との意味は、他の構成も追加的に含み得るというオープンした意味である。
【００３８】
第１、第２などの用語は多様な構成要素を説明するのに使用されるが、前記構成要素は前記用語に限らない。前記用語は一つの構造要素を他の構成要素から区別する目的にのみ使用される。例えば、本発明の権利範囲を逸脱しないながらも第１構成要素は第２構成要素と称されてもよく、類似して第２構成要素は第１構成要素と称されてもよい。
【００３９】
上端、下端、上面、下面、または、上部、下部などの用語は、構成要素において相対的な位置を区別するために使用されるものである。例えば、便宜上、図面上の上側を上部・上側、図面上の下側を下部・下側と称する場合、実際においては、本発明の権利範囲を逸脱しないながらも上部は下部と称されてもよく、下部は上部と称されてもよい。
【００４０】
本発明で使用される用語は、以下のように他の用語を使用した場合でも同じ意味で解釈される。
【００４１】
まず、チップ（ｃｈｉｐ）は、ｃｕｂｅ／ｄｉｃｅ／ｍａｒｂｌｅ／ｃｈｅｃｋｅｒなどに代替されて使用されてもよい。
【００４２】
スロットは、ｔｏｗｅｒ／ｃｈｅｃｋｅｒ  ｃａｔｃｈｅｒ／ｆｒａｍｅなどに代替されて使用されもよい。
【００４３】
本発明の技術的思想は、以下の内容を含む。
【００４４】
第一、コーナーや一部を共有して互いに異なる面を形成する構造である。
【００４５】
第二、タワー状であって、３面であれば三角柱、４面であれば四角柱、５面であれば五角柱を含む。
【００４６】
第三、上面（上面）には縁スロットの高さより一コマ（１コマ）低い（側面の最後のサイコロやチップが置かれる高さ）レベルの中央部分が形成されている。この中央部分は、チップをすぐに置くと側面から上った最後のチップの高さと同じくなり、全体的に大きいキューブを形成する。つまり、このような構造は大きいキューブの外壁のみを置くことができる構造に区分された５面（四角柱の場合）を提供するため、ゲーム空間の多変化を意味する。
【００４７】
上面の中央部分が塞がれて一コマ低いレベルは、ゲーム空間を多面に形成する効果を与える。もし塞がれていなければゲーム空間が一面（１面）で行われるが、中央部分の一部が塞がれることでゲーム空間が５面（四角柱の場合）になる構造である。
【００４８】
よって、前記構造は、４つの側面は注力の作用によって下からチップが積まれるようになり、上面の中央部分は塞がれていて下に落下せずにすぐに置かれるようになる。チップを入れる過程において、側面から上った最後のチップの高さと上面にすぐに置いたチップの高さが同じくなって上面でも一つの（１つの）面を形成するようになるため、ゲームの一面（１面）となる。
【００４９】
以下、添付した図面を参照して、本発明によるゲーム装置に関する具体的な実施例を詳細に説明する。
【００５０】
まず、本発明は少なくとも３つ以上の列１０（縦）と行２０（横）、つまり、（３＊３）からなる面３０を含む。
【００５１】
実施例の図面に示したように、３次元立体形状にして２つの面以上と３三目または４目のゲームをするためには、７＊７＊７の正六面体を形成し、各面にはチップをガイド及び掴むようにするためにレールタイプ（図示せず）が備えられた７列が形成されている。
【００５２】
また、各面の列の下部には開閉や挿入が可能なチップキャプチャ手段が備えられてチップが抜けないようにし、必要であればオープンしてチップを放出する。
【００５３】
下部の開閉挿入を省略し、レールの下部が塞がれている構造も可能である。
【００５４】
また、上面にもチップを置くことができる構造、本発明の実施例である７＊７の場合、（５＊５）を形成して、各列の上部で形成される最上行に置かれるチップと連結（直接または間接に（塞がれている状態）を介してゲームが行われるようにする。
【００５５】
また、本発明は各面、各列と各行からなる本体（７＊７＊７）を回転させる回転手段（穴及び回転体）が本体の下面及び下側に備えられるようにする。
【００５６】
一方、本発明におけるゲームは、少なくとも３つが連結される場合（３目）から、レール数の個数まで７目まで（７＊７＊７の場合）可能であるが、これは単なる一実施例であるため、これに限らず変更可能である。
【００５７】
また、本発明の他の実施例では各行をグリッド状（格子状のように行を仕切って各行に置かれるチップの位置が明確になるよう）にしてもよい。
【００５８】
図１は、本発明の実施例による全体的な形状を示す基本斜視図であり、図２は列の支持台２９、１９のうち一部の支持台１９を省略し得ることを示す他の斜視図、つまり、各列の左側端の列及び右側端の列のうちチップを掴む外側の支持台１９を省略することができることを示す図であり、
【００５９】
図３はチップキャプチャ手段１３０が列の下部に備えられた本発明の実施例の正面部分を示す図であり、図４はチップキャプチャ手段１３３が列の下部に備えられた本発明の実施例の左側部分を示す図である。
【００６０】
図５は本体の上面７５にチップを置くことができるようにした本発明の実施例の平面図であり、図６は回転手段８０、８５が備えられた本発明の実施例の底面図を示す図である。
【００６１】
図７は、他のチップキャプチャ手段１３５が備えられた本発明の他の実施例を示す図である。
【００６２】
図８はチップに挿入される本体の下面及び下側に本体を回転させる回転手段が備えられていることを示す図であり、図９は回転手段及びチップキャプチャ手段が備えられていることを示す図である。
【００６３】
図１０乃至図１３は、 本発明の実施例のゲーム装置及び使用されるチップの実施例を示す図である。本発明で使用されるチップは、異なる色または異なる模様であってもよい。
【００６４】
図１４は、他の実施例によるゲーム装置を示す図である。
【００６５】
実質的な模様や形態は前記構造と同じであるが、上面のスロット部分がラウンドタイプであって、チップを投入する際により円滑にすることができる。
【００６６】
前記本発明の実施例の各図面を参照して、本発明の構成、形状、動作を説明する。
【００６７】
まず、本発明の実施例による（教育、遊び）ゲームの規則はユーザの決め次第に異なるが、各自色または模様を決め、交互にチップを列または行に置き、単独面または面を互いに連結面で先に縦・横・対角線が同じ色または同じ模様が３つ（３目）、４つ（４目）、５つ（５目）のように連結されていたら得点するか勝利することにする。
【００６８】
各図面に示したように、教育、学習、またはゲーム道具であるチップ（色が異なるか模様が異なる）が挿入されるスロット１４０が備えられ、少なくとも３つ以上の列１０と行２０（３＊３）からなる少なくとも一つ以上の面のうち、第１面３０と、前記第１面の左側端の列１５及び右側端の列１６のうち一つの列を共有し、チップが挿入されるスロットが備えられ、少なくとも３つ以上の列と行（３＊３）からなる第２面５０と、を含むゲーム装置である。
【００６９】
本発明において、第１面、第２面は一例であって、他の面が第１面または第２面になってもよい。
【００７０】
本発明の他の実施例として、チップをスロットに挿入する代わりに、チップが磁石成分を有するようにしてくっつかせるか、コンピュータや端末機の画面に本発明の装置がディスプレイされるようにしてチップを挿入、くっつかせるかクリックすることも、本発明の技術的範囲に当たる。
【００７１】
付言すれば、学習またはゲーム道具であるチップが、磁石性質によって、または画面に置かれるかクリックし得る少なくとも３つ以上の列と行（３＊３）からなる面と、
【００７２】
前記面の列の左側端の列及び右側端の列のうちから一列を共有し、チップが磁石性質によってくっつくかまたは画面に置かれるかクリックする少なくとも３つ以上の列と行（３＊３）からなる他の面と、を含むゲーム装置も本発明の技術思想に含まれるが、この実施例の特徴は下記本発明の他の特徴と結合されて使用されてもよい。
【００７３】
前記第１面３０の反対面に備えられ、チップが挿入されるスロットが備えられて、少なくとも３つの列と行からなる第３面４０を含む。
【００７４】
また、前記第２面３０の反対面に備えられ、チップが挿入されるスロットが備えられて、少なくとも３つの列と行からなる第４面６０を含む。
【００７５】
チップが挿入されるスロットが備えられる複数のそれぞれの面３０、４０、５０、６０の列の左側端の列１５及び右側端の列１６のうちから一つの列を互いに共有して各面の列が形成されてゲームが行われるようにする。
【００７６】
また、本発明の実施例において、学習またはゲーム道具であるチップが挿入されるスロットが備えられ、少なくとも３つ以上の列と行からなる面と、前記面の各列の上部である最上行７０に積まれるチップと直接（列の上部である最上行が上面とオープンされて連結される）、または間接（列の上部である最上行が上面とオープンされていないが連結されているとみなす）に連結されてチップが置かれるよう、前記面の各列の上部からなる最上行の高さより低い位置（盆地のように）で形成される他の面７５を含む。
【００７７】
また、本発明の実施例において、学習、教育、またはゲーム道具であるチップが挿入されるスロットが備えられ、少なくとも3つ以上の列と行からなる第１面３０と、前記第１面の列の左側端の列１５及び右側端の列１６のうちから一つの列を共有し、チップが挿入されるスロットが供えられ、少なくとも３つ以上の列と行（３＊３）からなる第２面５０と、前記第１面及び前記第２面のうち少なくとも一面の最上行の上に積まれたチップと直接または間接に連結され、チップが置かれるように、前記面の各列の上部である最上行の高さより低い位置に形成される上面７５と、を含む。
【００７８】
一方、各列に備えられたスロットを介して挿入されるチップが積まれるようにするか抜かれるようにするチップキャプチャ手段１３０、１３３、１３５が前記各面列の下部に備えられる。ここで、前記チップキャプチャ手段は一例であって、他の形状や模様であってもよい。
【００７９】
図５に示したように、前記チップキャプチャ手段１３０、１３３は台形状であり、列の下部に差し込む形態であって、台形の各節に羽のように延長部１３７を置いてチップがかかれるようにする。一方、キャプチャ手段を省略して下部が塞がれた構造にしてもよい。
【００８０】
各列に備えられたスロット１４０を介して挿入されるチップは異なる色または異なる模様のチップとなるが、これに限らず、ユーザを区分し得るものであれば他のものでってもよい。
【００８１】
また、本発明の実施例は、装置を回転させながらもできるようにするために、前記各面で形成される本体が回転し得るように前記本体の下面・下側には回転手段８０、８５が備えられる。図面には穴８５が図示されていない状態であるが、本体の下面に備えられることが好ましい。一方、穴を備えなくても本体を回転し得る他の形態であってもよく、これも本発明の技術的思想に当たる。
【００８２】
上述したように、本発明は、教育、学習、または遊びなどに使用されるゲーム装置に関し、それぞれの列の上部に形成される投入口（スロット）に少なくとも２種類以上の色または模様のチップを投入し、同じ色や模様が少なくとも３つ以上になれば勝利する三目以上の教育または遊びゲームができるチップ連結ゲーム装置であり、一つの面と、必要であれば本体を回転させながら少なくとも２つの面を利用してゲームをすることができる形状であって、且つ上面も利用してゲームをすることができる形状に関する。
【００８３】
これまでの説明は本発明の技術思想を例示的に説明したものに過ぎず、本発明の属する技術分野における通常の知識を有する者であれば、本発明の本質的な特性から逸脱しない範囲内で多様な修正及び変形が可能なはずである。よって、本発明の開示された実施例は、本発明の技術思想を限定するためのものではなく説明するためのものであって、本発明の技術思想の範囲はこのような実施例によって限定されない。本発明の保護範囲は下記特許請求の範囲によって解析されるべきであり、それと同等な範囲内にある全ての技術思想は本発明の権利範囲に含まれると解析すべきである。
【産業上の利用可能性】
【００８４】
本発明は、ゲームまたは／及び学習のための道具として使用可能である。
【図１】
2020506034.tif 000003
【図２】
2020506034.tif 000004
【図３】
2020506034.tif 000005
【図４】
2020506034.tif 000006
【図５】
2020506034.tif 000007
【図６】
2020506034.tif 000008
【図７】
2020506034.tif 000009
【図８】
2020506034.tif 000010
【図９】
2020506034.tif 000011
【図１０】
2020506034.tif 000012
【図１１】
2020506034.tif 000013
【図１２】
2020506034.tif 000014
【図１３】
2020506034.tif 000015
【図１４】
2020506034.tif 000016
【国際調査報告】
2020506034.tif 000017
2020506034.tif 000018
2020506034.tif 000019
2020506034.tif 000020